【手続補正書】
【提出日】平成23年12月7日(2011.12.7)
【手続補正１】
【補正対象書類名】特許請求の範囲
【補正対象項目名】全文
【補正方法】変更
【補正の内容】
【特許請求の範囲】
【請求項１】
粒子をその中に含む流体を流動させるためのキャピラリと、
流動停止デバイスと、
該粒子を音響的に操作するための音響信号生成トランスデューサであって、粒子位置合わせは、流動構成および停止構成において維持される、トランスデューサと、
を備える、装置。
【請求項２】
前記粒子を分析するための分析器をさらに備える、請求項１に記載の装置。
【請求項３】
粒子選別器をさらに備える、請求項１に記載の装置。
【請求項４】
粒子分別器をさらに備える、請求項１に記載の装置。
【請求項５】
フローサイトメータをさらに備える、請求項１に記載の装置。
【請求項６】
撮像器をさらに備える、請求項１に記載の装置。
【請求項７】
前記流動停止デバイスは、ポンプを備える、請求項１に記載の装置。
【請求項８】
前記流動停止デバイスは、１つ以上の弁を備える、請求項１に記載の装置。
【請求項９】
粒子をその中に含む流体を流動させるためのキャピラリと、
逆流デバイスと、
該粒子を音響的に操作するための音響信号生成トランスデューサであって、粒子位置合わせは、流動構成および逆流構成において維持される、トランスデューサと、
を備える、装置。
【請求項１０】
前記粒子を分析するための分析器をさらに備える、請求項９に記載の装置。
【請求項１１】
選別器をさらに備える、請求項９に記載の装置。
【請求項１２】
分別器をさらに備える、請求項９に記載の装置。
【請求項１３】
フローサイトメータをさらに備える、請求項９に記載の装置。
【請求項１４】
撮像器をさらに備える、請求項９に記載の装置。
【請求項１５】
前記逆流デバイスは、ポンプを備える、請求項９に記載の装置。
【請求項１６】
前記逆流デバイスは、１つ以上の弁を備える、請求項９に記載の装置。
【請求項１７】
粒子をその中に含む流体を流動させるためのキャピラリと、
該粒子を音響的に配向するための音響信号生成トランスデューサと、
粒子分析器と
を備える、装置。
【請求項１８】
前記装置は、フローサイトメータを備える、請求項１７に記載の装置。
【請求項１９】
粒子選別器をさらに備える、請求項１７に記載の装置。
【請求項２０】
前記選別器は、分析前にサイズに基づいて前記粒子を分離する、請求項１９に記載の装置。
【請求項２１】
前記音響信号生成トランスデューサは、流動軸を中心に、極性方向に前記粒子を整列させる、請求項１７に記載の装置。
【請求項２２】
前記音響信号生成トランスデューサは、流動方向に前記粒子を整列させる、請求項１７に記載の装置。
【請求項２３】
粒子分別器を備える、請求項１７に記載の装置。
【請求項２４】
前記粒子は、赤血球または血小板である、請求項１７に記載の装置。
【請求項２５】
前記粒子は、精子である、請求項１７に記載の装置。
【請求項２６】
撮像器をさらに備える、請求項１７に記載の装置。
【請求項２７】
粒子をその中に含む流体を流動させるためのキャピラリと、
該キャピラリ内における半径方向音響場において非軸対称の粒子を音響的に配向する半径方向音響信号生成トランスデューサと、
該粒子を検査点を通して輸送するための輸送デバイスと、
粒子分析器と
を備える、装置。
【請求項２８】
前記半径方向音響信号生成トランスデューサは、前記キャピラリにおいて前記粒子を整列させる、請求項２７に記載の装置。
【請求項２９】
前記半径方向音響信号生成トランスデューサは、前記キャピラリにおいて前記粒子を濃縮する、請求項２７に記載の装置。
【請求項３０】
前記半径方向音響信号生成トランスデューサは、前記粒子を整列させる音響場を生成する、請求項２７に記載の装置。
【請求項３１】
前記粒子を整列させる流体力学的シースを備える、請求項２７に記載の装置。
【請求項３２】
撮像器をさらに備える、請求項２７に記載の装置。
【請求項３３】
１つ以上の粒子を音響的に操作するための方法であって、
１つ以上の粒子を含む流体を流動させることと、
音響放射圧を該流体に向けることであって、該音響放射圧は、１つ以上の粒子の位置合わせを流動構成および停止構成において音響的に維持することと、
該流体を停止させることと、
該粒子のうちの少なくとも１つをレビューすることと
を含む、方法。
【請求項３４】
前記レビューすることは、前記粒子のうちの少なくとも１つを分析することを含む、請求項３３に記載の方法。
【請求項３５】
前記レビューすることは、前記粒子のうちの少なくとも１つを選別することを含む、請求項３３に記載の方法。
【請求項３６】
前記流体をフローサイトメータを通して流動させることをさらに含む、請求項３３に記載の方法。
【請求項３７】
１つ以上の粒子を音響的に操作するための方法であって、
１つ以上の粒子を含む流体を流動させることと、
音響放射圧を該流体に向けることであって、該音響放射圧は、１つ以上の粒子の位置合わせを流動構成および逆流構成において音響的に維持することと、
該流体の流動の方向を逆にすることと、
該流動において逆行された該粒子のうちの少なくとも１つをレビューすることと
を含む、方法。
【請求項３８】
前記レビューすることは、前記粒子のうちの少なくとも１つを分析することを含む、請求項３７に記載の方法。
【請求項３９】
前記レビューすることは、前記粒子のうちの少なくとも１つを選別することを含む、請求項３７に記載の方法。
【請求項４０】
前記流体をフローサイトメータを通して流動させることを含む、請求項３７に記載の方法。
【請求項４１】
粒子分析器のフロー流において粒子を音響的に配向するための方法であって、
粒子をフロー流によって流動させることと、
音響放射圧を該粒子に向けることと、
該粒子分析器の該フロー流において該粒子を音響的に配向することと
を含む、方法。
【請求項４２】
前記粒子分析器は、フローサイトメータである、請求項４１に記載の方法。
【請求項４３】
前記音響放射圧は、非対称的である、請求項４１に記載の方法。
【請求項４４】
前記粒子は、非対称的である、請求項４１に記載の方法。
【請求項４５】
前記粒子の所定の配向を選択することをさらに含む、請求項４１に記載の方法。
【請求項４６】
前記配向は、光学的散乱平面内にある、請求項４５に記載の方法。
【請求項４７】
粒子非対称性に基づいて異なる種類の粒子を区別することをさらに含む、請求項４１に記載の方法。
【請求項４８】
粒子集団の繰り返し可能な配向をもたらすことをさらに含む、請求項４１に記載の方法。
【請求項４９】
前記粒子を選別することをさらに含む、請求項４１に記載の方法。
【請求項５０】
前記選別することは、サイズに基づく粒子の事前分析インライン分離を含む、請求項４９に記載の方法。
【請求項５１】
流動軸を中心に、極性方向に前記粒子を整列させることを含む、請求項４１に記載の方法。
【請求項５２】
流動方向に前記粒子を整列させることを含む、請求項４１に記載の方法。
【請求項５３】
前記粒子を分別することをさらに含む、請求項４１に記載の方法。
【請求項５４】
前記粒子は、赤血球または血小板である、請求項４１に記載の方法。
【請求項５５】
前記粒子は、精子である、請求項４１に記載の方法。
【請求項５６】
粒子分析器において粒子を分析するための方法であって、
１つ以上の粒子をフロー流において流動させることと、
半径方向音響放射圧を該フロー流に向けることと、
非対称粒子を該フロー流において音響的に配向することと、
各粒子を検査点を通して輸送することと、
該粒子の各々を分析することと
を含む、方法。
【請求項５７】
前記粒子を前記フロー流において整列させることをさらに含む、請求項５６に記載の方法。
【請求項５８】
前記整列させることは、音響場による、請求項５７に記載の方法。
【請求項５９】
前記整列させることは、流体力学的収束による、請求項５７に記載の方法。
【請求項６０】
前記粒子を前記フロー流において濃縮することをさらに含む、請求項５６に記載の方法。
【請求項６１】
フロー流において１つ以上の粒子を分析する方法であって、
ランタニドにより粒子を標識することと、
該粒子をフロー流において流動させることと、
該フロー流の方向に沿って該粒子を整列させるために、半径方向音響放射圧を該フロー流に向けることであって、該半径方向音響放射圧は、流体の流動、停止、逆流の間、粒子位置合わせを維持する、ことと、
該ランタニドにより標識された該粒子の少なくとも一部分を分析することと
を含む、方法。
【請求項６２】
前記フロー流を停止させることをさらに含む、請求項６１に記載の方法。
【請求項６３】
前記フロー流を逆行させることをさらに含む、請求項６１に記載の方法。
【請求項６４】
サイズにより粒子を分離するための方法であって、
粒子をフロー流において流動させることと、
半径方向音響放射圧を該フロー流に適用することと、
半径方向音響放射圧を適用することによって、サイズにより該粒子を音響的に分離することであって、小さい方の粒子は該放射圧によって実質的に影響を受けない、ことと
を含む、方法。
【請求項６５】
前記分離された粒子のうちの大きい方の粒子をフローサイトメータに輸送することをさらに含む、請求項６４に記載の方法。
【請求項６６】
前記大きい方の粒子を分析することをさらに含む、請求項６５に記載の方法。
【請求項６７】
前記輸送することは、前記大きい方の粒子を前記フロー流の中心軸に輸送する、請求項６５に記載の方法。
【請求項６８】
前記粒子をインライン分離することをさらに含む、請求項６４に記載の方法。
【請求項６９】
サイズにより粒子を分離するための方法であって、
粒子をフロー流において流動させることと、
半径方向音響放射圧を該フロー流に適用することと、
半径方向音響放射圧を適用することによって、サイズにより該粒子を音響的に分離し、大きい方の粒子をフローサイトメータ内に輸送することであって、小さい方の粒子は細胞残屑を含む、ことと
を含む、方法。